(57)【特許請求の範囲】
【請求項１】
駆動装置の駆動により下方停止位置と上方停止位置との間を移動可能な可動物と、
該可動物の前記上方停止位置において、前記可動物の移動方向に沿って配置される箇所を有する固定物と、
前記可動物に設けられ、前記固定物と対向する側にＳ極又はＮ極が向くように配置される第１の磁石と、
前記固定物に設けられ、前記可動物が前記上方停止位置にて停止した際に、前記第１の磁石と対向する位置に配置され、かつ、前記第１の磁石の前記固定物側を向いている極と異なる極が前記可動物と対向する側を向くように配置される第２の磁石と、
前記可動物又は前記固定物に設けられた第３の磁石と、
を備える可動役物を有しており、
前記第３の磁石は、
前記固定物における前記可動物の移動方向に沿った前記第２の磁石よりも下方位置に設けられ、前記第１の磁石の磁力に影響を及ぼす位置に前記第２の磁石と異なる極が前記第２の磁石と同じ方向を向くように配置される磁石か、
前記可動物における前記移動方向に沿った前記第１の磁石よりも上方位置に設けられ、前記第２の磁石の磁力に影響を及ぼす位置に前記第１の磁石と異なる極が前記第１の磁石と同じ方向を向くように配置される磁石か、
のいずれか一方であることを特徴とするパチンコ遊技機。
【発明の詳細な説明】
【技術分野】
【０００１】
本発明はパチンコ遊技機に関し、特に、可動役物を有するパチンコ遊技機に関する。
【背景技術】
【０００２】
従来、パチンコ遊技機の中には、画像を表示する表示装置に加え、実際の構造物を可動させる可動役物を有しており、当該可動役物を用いて遊技の興趣を向上させるようになっているものがある（例えば、特許文献１参照）。
【先行技術文献】
【特許文献】
【０００３】
【特許文献１】特開２００９−１２５１９１号公報
【発明の概要】
【発明が解決しようとする課題】
【０００４】
ここで、前記した特許文献１では、大型の可動物を確実に所定位置に保持するために磁石を利用する構成となっている。これに対し、大型の可動物を保持するためには、ある程度磁力の強い磁石を利用する必要がある。しかし、近年のパチンコ遊技機には、磁石によるゴト行為を防止するために磁気センサが搭載されており、可動物の保持のために磁力の強い磁石を利用すると、この磁気センサに悪影響を与える可能性がある。また、パチンコ遊技機の遊技球としては、磁石に引き寄せられる材質のものを使用することが多く、可動物の保持のために磁力の強い磁石を利用すると、遊技盤上における遊技球の転動に影響を与えてしまう可能性がある。このように、可動物の保持のために磁力の強い磁石を利用しようとすると、これによる不具合が生じる可能性が高く、そのため、磁力の強い磁石を利用することができず、可動物を確実に所定位置に保持することができない場合が生じていた。
【０００５】
本発明は、このような事情に鑑みてなされたものであり、第１〜第３の磁石を可動物と固定物に特定の法則で配置することで、ある程度磁力の弱い磁石を利用しても可動物を確実に固定物の所定位置に保持することができるパチンコ遊技機を提供することを目的とする。
【課題を解決するための手段】
【０００６】
かかる課題を解決するために、本発明の請求項１に係る発明は、駆動装置の駆動により下方停止位置と上方停止位置との間を移動可能な可動物と、該可動物の前記上方停止位置において、前記可動物の移動方向に沿って配置される箇所を有する固定物と、前記可動物に設けられ、前記固定物と対向する側にＳ極又はＮ極が向くように配置される第１の磁石と、前記固定物に設けられ、前記可動物が前記上方停止位置にて停止した際に、前記第１の磁石と対向する位置に配置され、かつ、前記第１の磁石の前記固定物側を向いている極と異なる極が前記可動物と対向する側を向くように配置される第２の磁石と、前記可動物又は前記固定物に設けられた第３の磁石と、を備える可動役物を有しており、前記第３の磁石は、前記固定物における前記可動物の移動方向に沿った前記第２の磁石よりも下方位置に設けられ、前記第１の磁石の磁力に影響を及ぼす位置に前記第２の磁石と異なる極が前記第２の磁石と同じ方向を向くように配置される磁石か、前記可動物における前記移動方向に沿った前記第１の磁石よりも上方位置に設けられ、前記第２の磁石の磁力に影響を及ぼす位置に前記第１の磁石と異なる極が前記第１の磁石と同じ方向を向くように配置される磁石か、のいずれか一方であるパチンコ遊技機としたことを特徴とする。
【０００７】
請求項１に係る発明によれば、停止位置の可動物に上方から下方に掛かる重力に対して、可動物の第１の磁石と固定物の第２の磁石とで引き寄せる力と、可動物の第１の磁石と固定物の第３の磁石とで第１の磁石が上下方向と反対側に反発する力を合わせた力、又は、固定物の第２の磁石と可動物の第３の磁石とで第３の磁石が上下方向と反対側に反発する力を合わせた力で保持することができ、ある程度磁力の弱い磁石を利用しても可動物を確実に固定物の所定位置に保持することが可能となる。
【図面の簡単な説明】
【０００８】
【図１】本発明の第１の実施の形態におけるパチンコ遊技機を表面側からみた斜視図である。
【図２】同パチンコ遊技機を背面側からみた斜視図である。
【図３】同パチンコ遊技機の遊技盤において可動役物の可動物が下方停止位置に停止した状態の正面図である。
【図４】同パチンコ遊技機の遊技盤において可動役物の可動物が上方停止位置に停止した状態の正面図である。
【図５】同パチンコ遊技機の可動役物において可動物が下方停止位置に停止した状態の正面図である。
【図６】図５の裏面図である。
【図７】図６から固定物の一部を取り外した状態の裏面図である。
【図８】同パチンコ遊技機の可動役物において可動物が上方停止位置に停止した状態の正面図である。
【図９】図８の裏面図である。
【図１０】図９から固定物の一部を取り外した状態の裏面図である。
【図１１】（ａ）は可動物が上方停止位置に停止した状態の第１〜第３の磁石の様子を示す概略図であり、（ｂ）は（ａ）の状態から可動物が下方に落ちかけたときの第１〜第３の磁石の様子を示す概略図である。
【図１２】本発明の第２の実施の形態におけるパチンコ遊技機の可動役物において可動物が下方停止位置に停止した状態の裏面図である。
【図１３】図１２から固定物の一部を取り外した状態の裏面図である。
【図１４】同パチンコ遊技機の可動役物において可動物が上方停止位置に停止した状態の裏面図である。
【図１５】図１４から固定物の一部を取り外した状態の裏面図である。
【図１６】（ａ）は可動物が上方停止位置に停止した状態の第１〜第３の磁石の様子を示す概略図であり、（ｂ）は（ａ）の状態から可動物が下方に落ちかけたときの第１〜第３の磁石の様子を示す概略図である。
【図１７】本発明の第３の実施の形態におけるパチンコ遊技機の可動役物において可動物が下方停止位置に停止した状態の裏面図である。
【図１８】図１７から固定物の一部を取り外した状態の裏面図である。
【図１９】同パチンコ遊技機の可動役物において可動物が上方停止位置に停止した状態の裏面図である。
【図２０】図１９から固定物の一部を取り外した状態の裏面図である。
【図２１】（ａ）は可動物が上方停止位置の下限に停止した状態の第１〜第４の磁石の様子を示す概略図であり、（ｂ）は可動物が上方停止位置の上限に停止した状態の第１〜第４の磁石の様子を示す概略図であり、（ｃ）は可動物が上方停止位置の上限と下限の間に停止した状態の第１〜第４の磁石の様子を示す概略図である。
【発明を実施するための形態】
【０００９】
以下、本発明の実施の形態におけるパチンコ遊技機について図面を参照しながら説明する。
［第１の実施の形態］
【００１０】
まず、本発明の第１の実施の形態におけるパチンコ遊技機全体の概略構成について図１及び図２を用いて説明する。図１は、本発明の第１の実施の形態におけるパチンコ遊技機を表面側からみた斜視図であり、図２は、同パチンコ遊技機を背面側からみた斜視図である。
【００１１】
本発明の第１の実施の形態におけるパチンコ遊技機１０は、図１に示すように、外枠１１、前枠１２、窓枠１３及び当該窓枠１３に覆われた遊技盤３０（後述）などを備えている。また、パチンコ遊技機１０の背面には、図２に示すように、液晶ディスプレイ型の演出表示装置３７（後述）などの表示制御や、可動役物及びＬＥＤなどによる遊技演出の制御を行う表示演出サブ基板２１、各種遊技音の出力制御を行う音サブ基板２２、入賞時におけるパチンコ遊技機１０の動作等を含むパチンコ遊技機１０の主要な動作を制御する主基板２３、パチンコ球（遊技球）の払い出し動作を制御する払出基板２４、各基板等に電源を供給する電源基板２５等の各種基板が例えば透明ケースに収納された状態で取り付けられている。
【００１２】
具体的に、外枠１１は、パチンコホールの台島に設置されており、前後面が開口するように四角筒状に形成されている。前枠１２は、外枠１１の前端面に左側辺部の垂直な軸を中心に回動可能に装着されている。また、この前枠１２の前面下部には、上面が開口する下皿１４と、上面が開口する上皿１５とが固定されている。
【００１３】
下皿１４の右端周辺にはハンドル台１６が固定されており、ハンドル台１６には発射ハンドル１９が回動自在に装着されている。この発射ハンドル１９の後方には発射モータが固定されており、発射モータの回転軸には打球槌が連結されている。この発射モータは打球槌の駆動源に相当するものであり、発射ハンドル１９が回動操作されたときには発射モータに駆動電源が供給される。その結果、打球槌が駆動して上皿１５内のパチンコ球が弾き出される。
【００１４】
窓枠１３は前枠１２の前面に装着されている。この窓枠１３は前枠１２と一体となって、前記した軸を中心に回動可能となっている。また、この窓枠１３には円形孔状の窓部１７が形成されており、窓部１７の内周面には透明なガラスやアクリル等からなる透明板１７ａが固定されている。この窓枠１３の左上隅部及び右上隅部の裏面には、遊技音を出力するスピーカ１８が固定されている。また、窓枠１３には複数の装飾ＬＥＤが固定されている。
【００１５】
上述の遊技盤３０は、前枠１２の後面に装着されている。以下、この遊技盤３０に備えられる各構成部材について図３及び図４を参照して詳細に説明する。図３及び図４は、本発明の第１の実施の形態におけるパチンコ遊技機１０の遊技盤３０の正面図であり、図３は、可動役物（後述）の可動物（後述）が下方停止位置に停止した状態のものであり、図４は、可動役物（後述）の可動物（後述）が上方停止位置に停止した状態のものである。この遊技盤３０は、上述のように前枠１２の後面に装着されており、窓枠１３の透明板１７ａに前方から覆われている。
【００１６】
遊技盤３０は、その遊技者側の表面に有する盤面等に各構成部材を固定する板状の部材であり、木製又は樹脂製のものである。ガイドレール３２は、この遊技盤３０の前記透明板１７ａと対向する表面側の盤面に固定されて、この遊技盤３０上に、パチンコ球の発射通路３１ａと、発射されたパチンコ球が転動しながら流下する遊技領域３１ｂとを区画形成する。遊技盤３０における遊技領域３１ｂのほぼ中央部には、当該遊技盤３０に貫設された開口部３８が形成されている。この開口部３８の周縁には、センター装飾部材４０が付設されている。また、センター装飾部材４０には、開口部３８の下部を覆うように、ステージ５０が形成されている。
【００１７】
また、遊技領域３１ｂにおいては、遊技盤３０に形成された開口部３８の周囲の少なくとも一部に、パチンコ球が転動しながら流下するようになっている。本実施の形態では、ガイドレール３２と開口部３８との間の領域で、開口部３８の上方から左方及び右下方までの領域にパチンコ球が流下するようになっている。
【００１８】
また、遊技領域３１ｂにおける遊技盤３０の盤面上には、パチンコ球の流下方向を変化させる複数の遊技釘（障害部材）３９が打ち込まれている。上述の打球槌が弾いたパチンコ球は、発射通路３１ａを通して遊技領域３１ｂ内に放出される。そして、遊技領域３１ｂに放出されたパチンコ球は、遊技釘３９に当たって転動しながら遊技領域３１ｂを流下し、最終的に何れかの入賞口又は遊技領域３１ｂの最下方に位置するアウト口３６に入るようになっている。
【００１９】
また、遊技盤３０に貫設された開口部３８の後方には、カラー液晶ディスプレイ等を用いた演出表示装置３７が設けられている。この演出表示装置３７は、大当り遊技状態を発生させるか否かの判定結果に基づき変動演出表示を行う広い面積の表示画面３７ａを有しており、当該表示画面３７ａが開口部３８からパチンコ遊技機１０の前方に向けて臨むようになっている。
【００２０】
また、遊技領域３１ｂ内において、演出表示装置３７の下方には、始動入賞口３３が配置されている。この始動入賞口３３は、パチンコ球が入賞することによって、遊技者に有利な大当り遊技状態を発生させるか否かの判定を行う起点となるものであり、上方に開口するポケット状に形成されている。
【００２１】
また、始動入賞口３３の下方には、大入賞口３４が配置されている。この大入賞口３４は図示しないアクチュエータの作動により開閉する開閉扉３４ａを備えており、この開閉扉３４ａは、遊技状態が大当り遊技状態になると開口し、その際には大入賞口３４が上方に向かってポケット状に幅広く開口し、多数のパチンコ球が同時かつ連続的に大入賞口３４に入賞可能となる。
【００２２】
また、遊技領域３１ｂの所定位置（本実施の形態では、開口部３８の周縁に装着されたセンター装飾部材４０の左側方）にはワープ通路９０が設けられており、遊技領域３１ｂにおけるパチンコ球が流下する途中（本実施の形態では、開口部３８の周縁に装着されたセンター装飾部材４０の左側方の上部）にワープ通路９０の球入口９１が形成されており、また、遊技領域３１ｂにおけるステージ５０付近（本実施の形態では、開口部３８の周縁に装着されたセンター装飾部材４０の左側方の下部でステージ５０に繋がる位置）にワープ通路９０の球出口９２が形成されている。そして、本実施の形態では、遊技領域３１ｂに転動するパチンコ球が、球入口９１からワープ通路９０に入り、当該ワープ通路９０内を通って、球出口９２から放出されることで、パチンコ球がステージ５０に誘導されるようになっている。
【００２３】
また、遊技領域３１ｂ内の所定位置には、パチンコ球が入賞可能な一般入賞口３５が上方に開口するポケット状に形成されている（本実施の形態では、遊技領域３１ｂの左下部に複数の一般入賞口３５が形成されている）。
【００２４】
また、演出表示装置３７の下部前方には、可動役物１００が配置されている。この可動役物１００は、演出表示装置３７とステージ５０の間に設けられる収容空間に収容されており、可動物１１０が、図３に示す下方停止位置と図４に示す上方停止位置との間を移動するようになっている。
【００２５】
以下、本実施の形態における可動役物１００について、図５〜図１１を参照して詳細に説明する。図５は、本発明の第１の実施の形態におけるパチンコ遊技機１０の可動役物１００において可動物１１０が下方停止位置に停止した状態の正面図であり、図６は、図５の裏面図であり、図７は、図６から固定物（後述）の一部を取り外した状態の裏面図である。また、図８は、同パチンコ遊技機１０の可動役物１００において可動物１１０が上方停止位置に停止した状態の正面図であり、図９は、図８の裏面図であり、図１０は、図９から固定物（後述）の一部を取り外した状態の裏面図である。また、図１１の（ａ）は、可動物１１０が上方停止位置に停止した状態の第１〜第３の磁石（後述）の様子を示す概略図であり、図１１の（ｂ）は、（ａ）の状態から可動物１１０が下方に落ちかけたときの第１〜第３の磁石（後述）の様子を示す概略図である。
【００２６】
本実施の形態における可動役物１００は、図５〜図１０に示すように、可動物１１０、固定物１２０を備えている。
【００２７】
まず、本実施の形態の可動物１１０について説明する。この可動物１１０は正面視略円盤状の部材であり、後述する固定物１２０に配置された本発明の駆動装置としてのモータ１２１の駆動により、図３，図５〜図７に示すような下方停止位置と、その上方に位置する上方停止位置との間を移動可能となっている。
【００２８】
可動物１１０には、その略円盤状の中心を軸として、別々に回動する外側回動部１１１と内側回動部１１２を有しており、このうち、外側回動部１１１は、図５，図７，図８，図１０に示すように、可動物１１０の下部に搭載された駆動源としてのモータ１１３の駆動力により、ギア１１４及びギア１１５等を介して回動するようになっている。また、内側回動部１１２は、図６，図７，図９，図１０に示すように、可動物１１０の裏面側に配置された駆動源としてのモータ１１６の駆動力により回動するようになっている。このように、本実施の形態の可動役物１００は、上下方向に移動する可動物１１０に駆動源としてのモータが２つ（モータ１１３とモータ１１６）搭載されており、重量の重いものとなっている。
【００２９】
また、可動物１１０には、左右２箇所に上下方向に延びる第１スライダ部１１８及び第２スライダ部１１９を備えており、第１スライダ部１１８のすぐ横には、上下方向に延びるラック１１７を備えている。
【００３０】
次に、本実施の形態の固定物１２０について説明する。この固定物１２０は遊技盤３０に固定されている可動役物１００の本体部材であり、少なくとも可動物１１０の上方停止位置において、可動物１１０に沿って配置される箇所を有している。本実施の形態では、図６，図８，図９に示すように、当該可動物１１０に沿って配置される箇所に、可動物１１０に備えられた第１スライダ部１１８に対応する第３スライダ部１２４と、第２スライダ部１１９に対応する第４スライダ部１２５を備えており、当該２つのスライダ部１２４，１２５で可動物１１０を上下動可能に支持している。
【００３１】
また、固定物１２０における、可動物１１０のラック１１７が形成されている側には、本発明の駆動装置としてのモータ１２１が備えられており、このモータ１２１の駆動力が、ギア１２２及びギア１２３等を介して可動物１１０のラック１１７に伝達され、可動物１１０が上下方向に移動可能となっている。
【００３２】
次に、本実施の形態の第１〜第３の磁石１３０，１４０，１５０について説明する。本実施の形態では、図７，図１０，図１１に示すように、可動物１１０に第１の磁石１３０が設けられており、固定物１２０と対向する側にＳ極又はＮ極が向くように配置されている。なお、ここでは、第１の磁石１３０は、第２スライダ部１１９の下方に、固定物１２０と対向する側にＳ極が向くように配置されている。
【００３３】
また、本実施の形態では、図６，図９，図１１に示すように、固定物１２０に第２の磁石１４０及び第３の磁石１５０が設けられている。第２の磁石１４０は、図１１に示すように、可動物１１０が上方停止位置に停止した際に、第１の磁石１３０と丁度対向する位置に配置されており、第１の磁石１３０の固定物１２０側を向いている極（ここでは、Ｓ極）と異なる極（ここでは、Ｎ極）が可動物１１０と対向する側を向くように配置されている。
【００３４】
また、第３の磁石１５０は、図１１に示すように、可動物の移動方向に沿った第２の磁石１４０よりも下方位置（ここでは、第２の磁石１４０の垂直方向の直下）に設けられており、第１の磁石１３０の磁力に影響を及ぼす程度の位置に配置されている。また、第３の磁石１５０は、第２の磁石１４０と異なる極（ここでは、Ｓ極）が第２の磁石１４０と同じ方向（可動物１１０側）を向くように配置されている。
【００３５】
このように第１〜第３の磁石１３０，１４０，１５０が配置されていることで、図１１の（ａ）に示すように、可動物１１０が上方停止位置に停止した際に、可動物１１０に配置された第１の磁石１３０と固定物１２０に配置された第２の磁石１４０が異なる極であるため引き寄せ合い、かつ、可動物１１０に配置された第１の磁石１３０と固定物１２０の第２の磁石１４０の下方に配置された第３の磁石１５０が同じ極であるため反発し合うことになる。このため、第１の磁石１３０と第２の磁石１４０だけで引き寄せ合っている場合よりも、強く当該上方停止位置に保持する力が生じ、その結果、比較的磁力の弱い磁石を使用しても、確実に可動物１１０を上方停止位置に停止保持することができるものである。
【００３６】
また、万が一、図１１の（ｂ）に示すように、可動物１１０が保持されていた上方停止位置から下方にずれて落ちてしまいそうになっても、可動物１１０に配置された第１の磁石１３０と固定物１２０に配置された第２の磁石１４０が引き寄せ合うと共に、可動物１１０に配置された第１の磁石１３０と固定物１２０の第２の磁石１４０の下方に配置された第３の磁石１５０が近づくことで反発力が増加して可動物１１０を上方に押し上げる力が生じることで、可動物１１０のずれ落ちを防止することが可能となるものである。
［第２の実施の形態］
【００３７】
次に、本発明の第２の実施の形態に係るパチンコ遊技機について、図１２〜図１６を用いて説明する。図１２は、本発明の第２の実施の形態におけるパチンコ遊技機１０の可動役物１００において可動物１１０が下方停止位置に停止した状態の裏面図であり、図１３は、図１２から固定物１２０の一部を取り外した状態の裏面図である。また、図１４は、同パチンコ遊技機１０の可動役物１００において可動物１１０が上方停止位置に停止した状態の裏面図であり、図１５は、図１４から固定物１２０の一部を取り外した状態の裏面図である。また、図１６の（ａ）は、可動物１１０が上方停止位置に停止した状態の第１〜第３の磁石（後述）の様子を示す概略図であり、図１１の（ｂ）は、（ａ）の状態から可動物１１０が下方に落ちかけたときの第１〜第３の磁石（後述）の様子を示す概略図である。
【００３８】
なお、本実施の形態のパチンコ遊技機は、下記の第１の磁石２３０，第２の磁石２４０及び第３の磁石２５０に関する構成以外は、前記した第１の実施の形態と同様であるので、同様の構成に同じ符号を付して、説明を省略する。
【００３９】
以下、本実施の形態の第１〜第３の磁石２３０，２４０，２５０について説明する。本実施の形態では、図１３，図１５，図１６に示すように、可動物１１０に第１の磁石２３０及び第３の磁石２５０が設けられている。第１の磁石２３０は、図１６に示すように、固定物１２０と対向する側にＳ極又はＮ極が向くように配置されている。なお、ここでは、第１の磁石２３０は、第２スライダ部１１９の下方に、固定物１２０と対向する側にＮ極が向くように配置されている。
【００４０】
また、第３の磁石２５０は、図１６に示すように、可動物の移動方向に沿った第１の磁石２３０よりも上方位置（ここでは、第１の磁石２３０の垂直方向の直上）に設けられており、後述する第２の磁石２４０の磁力に影響を及ぼす程度の位置に配置されている。また、第３の磁石２５０は、第１の磁石２３０と異なる極（ここでは、Ｓ極）が第１の磁石２３０と同じ方向（固定物１２０側）を向くように配置されている。
【００４１】
また、本実施の形態では、図１２，図１４，図１６に示すように、固定物１２０に第２の磁石２４０が設けられている。第２の磁石２４０は、図１６に示すように、可動物１１０が上方停止位置に停止した際に、第１の磁石２３０と丁度対向する位置に配置されており、第１の磁石２３０の固定物１２０側を向いている極（ここでは、Ｎ極）と異なる極（ここでは、Ｓ極）が可動物１１０と対向する側を向くように配置されている。
【００４２】
このように第１〜第３の磁石２３０，２４０，２５０が配置されていることで、図１６の（ａ）に示すように、可動物１１０が上方停止位置に停止した際に、可動物１１０に配置された第１の磁石２３０と固定物１２０に配置された第２の磁石２４０が異なる極であるため引き寄せ合い、かつ、固定物１２０に配置された第２の磁石２４０と可動物１１０の第１の磁石２３０の上方に配置された第３の磁石２５０が同じ極であるため反発し合うことになる。このため、第１の磁石２３０と第２の磁石２４０だけで引き寄せ合っている場合よりも、強く当該上方停止位置に保持する力が生じ、その結果、比較的磁力の弱い磁石を使用しても、確実に可動物１１０を上方停止位置に停止保持することができるものである。
【００４３】
また、万が一、図１６の（ｂ）に示すように、可動物１１０が保持されていた上方停止位置から下方にずれて落ちてしまいそうになっても、可動物１１０に配置された第１の磁石２３０と固定物１２０に配置された第２の磁石２４０が引き寄せ合うと共に、固定物１２０に配置された第２の磁石２４０と可動物１１０の第１の磁石２３０の上方に配置された第３の磁石２５０が近づくことで反発力が増加して可動物１１０を上方に押し上げる力が生じることで、可動物１１０のずれ落ちを防止することが可能となるものである。
【００４４】
なお、前記した第１の実施の形態と第２の実施の形態を合わせて用いても良い。すわなち、図１１の（ａ）において、第１〜第３の磁石に加えて、可動物１１０の第１の磁石１３０の上方にさらにもう１つ、第２の実施の形態における第３の磁石２５０に相当する磁石を配置しても良い。このような構成とすることで、当該第２の実施の形態における第３の磁石２５０に相当する磁石と固定物１２０の第２の磁石１４０との反発力も生じ、より上方停止位置に可動物１１０を保持する力を強くすることができるものである。また、図１６の（ａ）において、第１〜第３の磁石に加えて、固定物１２０の第２の磁石２４０の下方にさらにもう１つ、第１の実施の形態における第３の磁石１５０に相当する磁石を配置しても良い。このような構成とすることで、当該第１の実施の形態における第３の磁石１５０に相当する磁石と可動物１１０の第１の磁石２３０との反発力も生じ、より上方停止位置に可動物１１０を保持する力を強くすることができるものである。
［第３の実施の形態］
【００４５】
次に、本発明の第３の実施の形態に係るパチンコ遊技機について、図１７〜図２１を用いて説明する。図１７は、本発明の第３の実施の形態におけるパチンコ遊技機１０の可動役物１００において可動物１１０が下方停止位置に停止した状態の裏面図であり、図１８は、図１７から固定物１２０の一部を取り外した状態の裏面図である。また、図１９は、同パチンコ遊技機１０の可動役物１００において可動物１１０が上方停止位置に停止した状態の裏面図であり、図２０は、図１９から固定物１２０の一部を取り外した状態の裏面図である。また、図２１の（ａ）は、可動物１１０が上方停止位置の下限に停止した状態の第１〜第４の磁石（後述）の様子を示す概略図であり、図２１の（ｂ）は、可動物１１０が上方停止位置の上限に停止した状態の第１〜第４の磁石（後述）の様子を示す概略図であり、図２１の（ｃ）は、可動物１１０が上方停止位置の上限と下限の間に停止した状態の第１〜第４の磁石（後述）の様子を示す概略図である。
【００４６】
なお、本実施の形態のパチンコ遊技機は、下記の第１の磁石３３０，第２の磁石３４０，第３の磁石３５０及び第４の磁石３６０に関する構成以外は、前記した第１の実施の形態と同様であるので、同様の構成に同じ符号を付して、説明を省略する。
【００４７】
まず、センサ３７０、突出片３８０、ストッパ３９０について説明する。図２１に示すように、本実施の形態では、可動物１１０が上方停止位置に位置していることを検知するためのセンサ（例えば、赤外線センサ）を固定物１２０に備えており、ここに可動物１１０に配置された突出片３８０が可動物１１０の移動に応じて挿入されることで、可動物１１０が上方停止位置の下限に達したことを検知するようになっている。また、これに加えて、固定物１２０にはストッパ３９０を備えており、これにより、可動物１１０が上方停止位置の上限より上方に移動しないように物理的に停止するようになっている。
【００４８】
以下、本実施の形態の第１〜第４の磁石３３０，３４０，３５０，３６０について説明する。本実施の形態では、図１８，図２０，図２１に示すように、可動物１１０に第１の磁石３３０及び第４の磁石３６０が設けられている。第１の磁石３３０は、図２１に示すように、固定物１２０と対向する側にＳ極又はＮ極が向くように配置されている。なお、ここでは、第１の磁石３３０は、第２スライダ部１１９の下方に、固定物１２０と対向する側にＳ極が向くように配置されている。
【００４９】
また、第４の磁石３６０は、図２１に示すように、可動物の移動方向に沿った第１の磁石３３０よりも下方位置（ここでは、第１の磁石３３０の垂直方向の直下）に設けられている。また、第４の磁石３６０は、第１の磁石３３０と異なる極（ここでは、Ｎ極）が第１の磁石３３０と同じ方向（固定物１２０側）を向くように配置されている。
【００５０】
また、本実施の形態では、図１７，図１９，図２１に示すように、固定物１２０に第２の磁石３４０及び第３の磁石３５０が設けられている。第２の磁石３４０は、図２１の（ｂ）に示すように、可動物１１０が上方停止位置の上限であるストッパ３９０に当接して停止した際に、第１の磁石３３０と丁度対向する位置に配置されており、第１の磁石３３０の固定物１２０側を向いている極（ここでは、Ｓ極）と異なる極（ここでは、Ｎ極）が可動物１１０と対向する側を向くように配置されている。
【００５１】
また、第３の磁石３５０は、図２１に示すように、可動物の移動方向に沿った第２の磁石３４０よりも下方位置（ここでは、第２の磁石３４０の垂直方向の直下）に設けられており、第１の磁石３３０の磁力に影響を及ぼす程度の位置に配置されている。また、第３の磁石３５０は、第２の磁石３４０と異なる極（ここでは、Ｓ極）が第２の磁石３４０と同じ方向（可動物１１０側）を向くように配置されている。また、第３の磁石３５０は、図２１の（ａ）に示すように、可動物１１０が上方停止位置の下限であるセンサ３７０に検出片３８０が検出されるギリギリのラインで停止した際に、第４の磁石３６０と丁度対向する位置に配置されており、第２の磁石３４０の可動物１１０側を向いている極（ここでは、Ｎ極）と異なる極（ここでは、Ｓ極）が可動物１１０と対向する側を向くように配置されている。
【００５２】
このように第１〜第４の磁石３３０，３４０，３５０，３６０が配置されていることで、図２１の（ａ）に示すように、可動物１１０が上方停止位置の下限に停止した際には、可動物１１０に配置された第４の磁石３６０と固定物１２０に配置された第３の磁石３５０が丁度対向する位置となるため強く引き寄せ合い、図２１の（ｂ）に示すように、可動物１１０が上方停止位置の上限に停止した際には、可動物１１０に配置された第１の磁石３３０と固定物１２０に配置された第２の磁石３４０が丁度対向する位置となるため強く引き寄せ合う。このため、前記した図２１の（ａ）と図２１の（ｂ）に示した状態の中間である図２１の（ｃ）の状態で可動物１１０が停止すれば、停止位置が多少上方や下方にずれても問題なく可動物１１０を保持することができる状態とすることができる。その結果、比較的磁力の弱い磁石を使用しても、確実に可動物１１０を上方停止位置に停止保持することができるものである。
【００５３】
以上のように、各実施の形態のパチンコ遊技機１０は、駆動装置（モータ）１２１の駆動により下方停止位置と上方停止位置との間を移動可能な可動物１１０と、該可動物１１０の前記上方停止位置において、前記可動物１１０の移動方向に沿って配置される箇所を有する固定物１２０と、前記可動物１１０に設けられ、前記固定物１２０と対向する側にＳ極又はＮ極が向くように配置される第１の磁石１３０，２３０，３３０と、前記固定物１２０に設けられ、前記可動物１１０が前記上方停止位置にて停止した際に、前記第１の磁石１３０，２３０，３３０と対向する位置に配置され、かつ、前記第１の磁石１３０，２３０，３３０の前記固定物１２０側を向いている極と異なる極が前記可動物１１０と対向する側を向くように配置される第２の磁石１４０，２４０，３４０と、前記可動物１１０又は前記固定物１２０に設けられた第３の磁石１５０，２５０，３５０と、を備える可動役物１００を有しており、前記第３の磁石１５０，２５０，３５０は、前記固定物１２０における前記可動物１１０の移動方向に沿った前記第２の磁石１４０，３４０よりも下方位置に設けられ、前記第１の磁石１３０，３３０の磁力に影響を及ぼす位置に前記第２の磁石１４０，３４０と異なる極が前記第２の磁石１４０，３４０と同じ方向を向くように配置される磁石１５０，３５０か、前記可動物１１０における前記移動方向に沿った前記第１の磁石２３０よりも上方位置に設けられ、前記第２の磁石２４０の磁力に影響を及ぼす位置に前記第１の磁石２３０と異なる極が前記第１の磁石２３０と同じ方向を向くように配置される磁石２５０か、のいずれか一方であるパチンコ遊技機１０としたことを特徴とする。
【００５４】
そして、各実施の形態のパチンコ遊技機１０によれば、停止位置の可動物１１０に上方から下方に掛かる重力に対して、可動物１１０の第１の磁石１３０，２３０，３３０と固定物１２０の第２の磁石１４０，２４０，３４０とで引き寄せる力と、可動物１１０の第１の磁石１３０，３３０と固定物１２０の第３の磁石１５０，３５０とで第１の磁石１３０，３３０が上下方向と反対側に反発する力を合わせた力、又は、固定物１２０の第２の磁石２４０と可動物１１０の第３の磁石２５０とで第３の磁石２５０が上下方向と反対側に反発する力を合わせた力で保持することができ、ある程度磁力の弱い磁石を利用しても可動物１１０を確実に固定物１２０の所定位置に保持することが可能となる。特に、前記した各実施の形態のように、可動物１１０の重量が重い場合には、可動物１１０を所定位置で停止させて当該状態を保持することが困難になることが多いが、各実施の形態のように磁石を配置することで、ある程度磁力の弱い磁石を利用しても重量の重い可動物１１０を確実に固定物１２０の所定位置に保持することが可能となる。
【００５５】
なお、以上説明した実施の形態は、本発明の理解を容易にするために記載されたものであって、本発明を限定するために記載されたものではない。
【００５６】
例えば、前記した各実施の形態では、固定物１２０が可動役物１００の本体部材として機能しており、可動物１１０を上下動可能に支持する構成となっていたが、本発明はこれに限るものではなく、例えば、可動物１１０を支持する本体部材は他に設けられており、固定物１２０は磁石が配置されて可動物１１０の停止位置を保持するためだけに設けられている構成でも良い。
【００５７】
また、前記した各実施の形態では、下方停止位置と上方停止位置が垂直方向に位置しており、可動物１１０が垂直方向に移動するようになっていたが、本発明はこれに限るものではなく、下方停止位置と上方停止位置が斜め上下方向に位置しており、可動物が斜め上下方向に移動するようになっていても良い。この場合、各磁石の位置も、可動物の移動方向の傾斜角度に応じて、斜めにずらして配置するのが良い。すなわち、各磁石は、可動物の下方停止位置と上方停止位置を結ぶ直線に対して、前記した各実施の形態の配置関係を有するように配置するのが良い。
【００５８】
また、前記した各実施の形態では、第１〜第４の磁石に全て永久磁石を使用していたが、本発明はこれに限るものではなく、第１〜第４の磁石の一部が電磁石で構成されていても良く、また、第１〜第４の磁石が電磁石のみで構成されていても良い。なお、本発明の磁石に電磁石を有している場合には、可動物の動きや可動物と固定物の磁石同士の位置関係などに応じて、電磁石を作動させる電気をＯＮＯＦＦしたり電気量を増減させたりして、電磁石から発生する磁力を変更することも可能である。すなわち、可動物が移動している際には、可動物の磁石と固定物の磁石の間で生じる反発力が可動物の移動方向と逆向きに働き、可動物の移動に支障を来たす場合もあるため、電磁石から磁力が発生しないように電磁石に電気を送らない又は電磁石に送る電気量を少なくし、可動物が停止位置に達したら、電磁石に電気を送る又は電磁石に送る電気量を多くして、電磁石から磁力を発生させて磁石同士の引き寄せ合う力及び反発し合う力を生じさせ、可動物を固定物に保持するような場合が考えられる。
【符号の説明】
【００５９】
１０…パチンコ遊技機、１００…可動役物、１１０…可動物、１２０…固定物、１３０，２３０，３３０…第１の磁石、１４０，２４０，３４０…第２の磁石、１５０，２５０，３５０…第３の磁石、３６０…第４の磁石
【図１】
0005733271.tif 000002
【図２】
0005733271.tif 000003
【図３】
0005733271.tif 000004
【図４】
0005733271.tif 000005
【図５】
0005733271.tif 000006
【図６】
0005733271.tif 000007
【図７】
0005733271.tif 000008
【図８】
0005733271.tif 000009
【図９】
0005733271.tif 000010
【図１０】
0005733271.tif 000011
【図１１】
0005733271.tif 000012
【図１２】
0005733271.tif 000013
【図１３】
0005733271.tif 000014
【図１４】
0005733271.tif 000015
【図１５】
0005733271.tif 000016
【図１６】
0005733271.tif 000017
【図１７】
0005733271.tif 000018
【図１８】
0005733271.tif 000019
【図１９】
0005733271.tif 000020
【図２０】
0005733271.tif 000021
【図２１】
0005733271.tif 000022